(57)【特許請求の範囲】
【請求項１】
本体キャビネットの内部を断熱区画して、商品を収納する商品ラックを引き出し可能に収納する収納庫と、該収納庫の前面を開閉可能に閉鎖する内扉と、本体キャビネットの前面を開閉可能に閉鎖する外扉とを備えた自動販売機において、外扉のヒンジ側の、本体キャビネットおよび収納庫のいずれかに内扉の開閉用の第一の支点軸を設け、外扉の反ヒンジ側の内側に内扉の開閉用の第二の支点軸を設け、内扉の基端に、前記第一の支点軸に着脱可能に係合する第一の軸受けを設けるとともに、内扉の他端に前記第二の支点軸に着脱可能に係合する第二の軸受けを設けることを特徴とする自動販売機。
【発明の詳細な説明】
【０００１】
【産業上の利用分野】
この発明は、紙パックなどの商品を積み上げて収納する商品ラックを引き出し可能に収納する自動販売機に関する。
【０００２】
【従来の技術】
図２は従来例の自動販売機の構成図を、図３は図２を上から見た図を示す。この図２，図３において、１は本体キャビネットであり、全面が開放した箱形に構成されており、内部には断熱壁で囲われて前面を開閉可能に閉鎖する内扉２を有する収納庫３が形成されている。該収納庫３の内部には、商品を積み上げて保存する複数個の商品ラック４が引き出し可能に収納されている。また、本体キャビネット１にはその前面を開閉可能に閉鎖する外扉５が取付けられている。上記の構成において、商品を商品ラック４にローディングする際は、外扉５と、内扉２とを開放してから目的の商品ラック４を収納庫３から手前に引き出して該商品ラック４の横から商品をローディングして、上記と逆の手順で外扉５を閉鎖して終了する。この外扉５および内扉２を開放する際に自動販売機の設置場所によっては外扉５が９０°以上開かない場合があり、その際は、外扉５のヒンジ側の商品ラック４が引き出せない事態が生じる。
【０００３】
この事態に対処するために、予め収納庫３内にデッドスペースを設けるか、または、内扉の両端を本体キャビネットに摺動自在に取付けるとともに内扉２を中折れ構造にすることが知られている。また、内扉２が本体キャビネット１から飛び出るように内扉２を継ぎ手アームを介して本体キャビネット１に取付け、該継ぎ手アームの回転半径に沿って内扉を移動させることも知られている。
【０００４】
【発明が解決しようとする課題】
ところで上記の構成では、収納庫内にデッドスペースを設けるとその分自動販売機が大きくなる問題があり、内扉を中折れ式にすると中折れ部から冷気が漏れる恐れがある。また、継ぎ手アームを接続する方法は継ぎ手アームが短い場合は商品を商品ラックにローディングする際に内扉が邪魔になり、継ぎ手アームを長くすると内扉が不安定になる。
【０００５】
この発明は上記課題を解決するためになされたもので、その目的とするところは、収納庫のデッドスペース、および内扉からの冷気の漏れを無くし、かつ内扉が安定して開閉できる自動販売機を提供することにある。
【０００６】
【課題を解決するための手段】
上記課題を達成するために請求項１記載の発明は、本体キャビネットの内部を断熱区画して、商品を収納する商品ラックを引き出し可能に収納する収納庫と、該収納庫の前面を開閉可能に閉鎖する内扉と、本体キャビネットの前面を開閉可能に閉鎖する外扉とを備えた自動販売機において、外扉のヒンジ側の、本体キャビネットおよび収納庫のいずれかに内扉の開閉用の第一の支点軸を設け、外扉の反ヒンジ側の内側に内扉の開閉用の第二の支点軸を設け、内扉の基端に、前記第一の支点軸に着脱可能に係合する第一の軸受けを設けるとともに、内扉の他端に前記第二の支点軸に着脱可能に係合する第二の軸受けを設けることを特徴とする。
【０００７】
上記構成により両扉を開放して、第二の支点軸と第二の軸受けとを係合して、第一の支点軸から第一の軸受けを脱着することにより内扉の開閉支点軸を第二の支点軸に移動させて、内扉を第二の支点軸を基点にして、収納庫の前面と、外扉と、内扉とでコ字状を形成するように開放することにより、内扉が商品ラック引き出しの邪魔をすることを無くし、かつ商品をローディングするスペースを確保することが可能になる。
【０００８】
【発明の実施の形態】
図１はこの発明の実施の形態の主要部の構成を示し、（ａ）は請求項１の発明が適用された自動販売機を上から見た図（ｂ）は開放した外扉および内扉の拡大図を示す。この図１において、１は本体キャビネットであり、前面が開放した箱形に構成されており、内部には断熱壁で囲われて前面を開閉可能に閉鎖する内扉２を有する収納庫３が形成されている。該収納庫３の内部には、商品を積み上げて保存する複数個の商品ラック４が引き出し可能に収納されている。また、本体キャビネット１にはその前面を開閉可能に閉鎖する外扉５が取付けられている。
【０００９】
前記内扉２は基端部に、本体キャビネット１に設けた第一の支点軸９に着脱可能に係合した第一の軸受け１０を有しており、他端に、外扉５の反ヒンジ側に設けた第二の支点軸１１に、両扉を開放した際に係合可能な第二の軸受け１２を有している。該軸受け１０、１２は軸受け溝１３と、変形ｙ字形をしており、中央を揺動可能に支持され前記軸受け溝１３に、第一の支点軸９（または第二の支点軸１１）が係合した際に該ｙ字形の開口部を形成する一片が前記第一の支点軸９（または第二の支点軸１１）に押されて前記軸受け溝１３の溝底部に向かって移動するするとともに前記ｙ字形の開口部を形成する他片が前記第一の支点軸９（または第二の支点軸１１）を押さえて、脱着を抑制するようにしたラッチ板１４と、前記第一の支点軸９（または第二の支点軸１１）が軸受け溝１３から外れている状態では前記ラッチ板１４が中央部を揺動可能に支持した支持部を支点にして前記軸受け溝１３の開口部にｙ字形の開口部が重なるように付勢し、前記第一の支点軸９（または第二の支点軸１１）が軸受け溝１３に係合して同時にラッチ板１４を押し下げて、ラッチ板１４の他端が前記支点部を支点にして移動する際は移動動作を妨げるように抵抗し、前記移動の途中から反転して前記移動を促進して移動完了位置を保持して復帰動作を抑制するように付勢する反転ばね１５とにより構成されている。
【００１０】
この図１においては、内扉２を開放した後、内扉２の支点軸を第一の支点軸９から第二の支点軸１１に移動させて、該第二の支点軸１１を基点にして内扉２を、内扉２と、収納庫３前面と、外扉５とでコ字形を形成するように開放して商品ラック４を引き出すスペースを確保する。
【００１１】
【発明の効果】
この発明によれば、隣接する自動販売機や壁に規制されて外扉が９０°以上開かない場合でも、収納庫にデッドスペースを設けたり、隣接する自動販売機との間を開けたりすることなく商品ラックを引き出し、かつ商品をローディングすることが可能になるので、その分自動販売機の設置スペースを節約する効果がある。
【図面の簡単な説明】
【図１】  この発明の実施の形態の主要部分の構成を示し、（ａ）は請求項１の発明が適用された自動販売機を上から見た図、（ｂ）は開放した外扉および内扉の拡大図
【図２】 従来例の自動販売機の構成図
【図３】 図２を上から見た図
【符号の説明】
９    第一の支点軸
１０  第一の軸受け
１１  第二の支点軸
１２  第二の軸受け
１３  軸受け溝
１４  ラッチ板
１５  反転ばね
【図１】
0003700042.tif 000002
【図２】
0003700042.tif 000003
【図３】
0003700042.tif 000004